(57)【特許請求の範囲】
【請求項１】
保管品を保管するための庫内の湿度を管理する防湿庫であって、
前記庫内に収容されたハウジングと、
前記ハウジング内に収容された乾燥剤と、
前記乾燥剤を加熱するヒータと、
前記ハウジング内および前記庫内の空気循環を行うための庫内シャッタと、
庫外および前記ハウジング内の空気循環を行うための庫外シャッタと、
前記庫内の湿度を検知する湿度センサと、
前記庫外シャッタを閉じて前記庫内シャッタを開き、前記乾燥剤により前記庫内の空気を除湿する除湿処理、および前記庫内シャッタを閉じて前記庫外シャッタを開き、前記ヒータを動作させ、前記乾燥剤を加熱して湿気を前記庫外に排出させ、当該乾燥剤を再生する加熱再生処理の実施を制御する制御手段と、を有し、
前記制御手段は、
前記除湿処理の実施中において、前回の前記加熱再生処理の実施から所定時間を経過した場合に、前記湿度センサにより検知された庫内湿度が、第一の閾値より高いならば、前記除湿処理の実施を終了して前記加熱再生処理の実施を開始し、当該第一の閾値より低いならば、前記除湿処理の実施を続行し、前記庫内湿度が前記第一の閾値より高い第二の閾値になった場合に、前記除湿処理の実施を終了して前記加熱再生処理の実施を開始する
ことを特徴とする防湿庫。
【請求項２】
請求項１に記載の防湿庫であって、
前記制御手段は、
前記除湿処理の実施を続行した場合において、前記庫内湿度が前記第一の閾値より高くかつ前記第二の閾値より低い第三の閾値以下であるときは、前記除湿処理の実施を中断して、前記庫内シャッタおよび前記庫外シャッタの両方を閉じる待機処理を実施する
ことを特徴とする防湿庫。
【発明の詳細な説明】
【技術分野】
【０００１】
本発明は、カメラ、電子部品等の精密機器、食品、化学薬品等の、高度な湿度管理が要求される保管品を保管するための防湿庫に関し、特に、庫内を自動的に除湿して、保管品を一定の湿度状態で保管することが可能な防湿庫の制御技術に関する。
【背景技術】
【０００２】
特許文献１には、安定的に低湿度状態で保管品を保管することが可能な防湿庫が開示されている。この防湿庫は、庫内に収容されたハウジングと、ハウジング内に収容された乾燥剤と、乾燥剤を加熱するヒータと、ハウジング内および庫内の空気循環を行うための庫内シャッタと、庫外およびハウジング内の空気循環を行うための庫外シャッタと、ハウジング内および庫内の空気循環を促進するためのファンと、を備えている。
【０００３】
このような構成において、防湿庫は、庫外シャッタを閉じて庫内シャッタを開き、ファンを動作させることにより、ハウジング内に収容された乾燥剤で庫内の空気を除湿する（除湿処理）。この際、庫内に設けられた湿度センサにより検出された湿度に基づいて、ファンの風速および風量を自動調節する。
【０００４】
また、防湿庫は、定期的に、庫内シャッタを閉じて庫外シャッタを開き、ヒータを動作させることにより、乾燥剤を加熱して乾燥剤の湿気を庫外に排出し、乾燥剤を再生する（加熱再生処理）。ここで、庫内の湿度に影響を与える扉開閉頻度の、昼夜における違いを考慮し、加熱再生処理の周期を、自動または手動により切替可能としている。
【先行技術文献】
【特許文献】
【０００５】
【特許文献１】特開２００２−１０６８８９号公報
【発明の概要】
【発明が解決しようとする課題】
【０００６】
上述したように、特許文献１に記載の防湿庫は、自動または手動によって加熱再生処理の周期を切り替えることが可能である。しかし、基本的には、除湿処理および加熱再生処理からなる動作シーケンスをサイクリックに繰り返すのみであるため、乾燥剤が未だ除湿能力を維持している状態で、不必要な加熱再生処理が行われ、電力を浪費する可能性がある。また、加熱再生処理が行われている間は庫内の除湿が行われないため、加熱再生処理中に庫内の湿度が上昇する可能性がある。また、ヒータの熱により庫内の温度が上昇する可能性もある。加熱再生処理の頻度が増えると、消費電力が増大し、また庫内環境を安定的に維持することが困難になる。
【０００７】
本発明は上記事情に鑑みてなされたものであり、その目的は、無駄な電力消費を抑え、庫内環境を安定的に維持することが可能な防湿庫の制御技術を提供することにある。
【課題を解決するための手段】
【０００８】
上記課題を解決するために、本発明の防湿庫では、除湿処理の実施中に加熱再生処理の実施タイミングが到来したならば、そのときの庫内湿度が第一の閾値より高い場合にのみ除湿処理の実施を終了して加熱再生処理の実施を開始する。第一の閾値より低い場合には、庫内湿度が第一の閾値より高い第二の閾値になるまで除湿処理の実施を続行し、第二の閾値になってから、除湿処理の実施を終了して加熱再生処理の実施を開始する。
【０００９】
例えば、本発明は、保管品を保管するための庫内の湿度を管理する防湿庫であって、
前記庫内に収容されたハウジングと、
前記ハウジング内に収容された乾燥剤と、
前記乾燥剤を加熱するヒータと、
前記ハウジング内および前記庫内の空気循環を行うための庫内シャッタと、
庫外および前記ハウジング内の空気循環を行うための庫外シャッタと、
前記庫内の湿度を検知する湿度センサと、
前記庫外シャッタを閉じて前記庫内シャッタを開き、前記乾燥剤により前記庫内の空気を除湿する除湿処理、および前記庫内シャッタを閉じて前記庫外シャッタを開き、前記ヒータを動作させ、前記乾燥剤を加熱して湿気を前記庫外に排出させ、当該乾燥剤を再生する加熱再生処理の実施を制御する制御手段と、を有し、
前記制御手段は、
前記除湿処理の実施中において、前回の前記加熱再生処理の実施から所定時間を経過した場合に、前記湿度センサにより検知された庫内湿度が、第一の閾値より高いならば、前記除湿処理の実施を終了して前記加熱再生処理の実施を開始し、当該第一の閾値より低いならば、前記除湿処理の実施を続行し、前記庫内湿度が前記第一の閾値より高い第二の閾値に達してから、前記除湿処理の実施を終了して前記加熱再生処理の実施を開始する。
【発明の効果】
【００１０】
本発明によれば、除湿処理の実施中に加熱再生処理の実施タイミングが到来した場合に、そのときの庫内湿度が第一の閾値より低いならば、乾燥剤が未だ除湿能力を維持していると判断し、加熱再生処理の実施を開始することなく、除湿処理の実施を続行する。そして、庫内湿度が第一の閾値より高い第二の閾値になった場合に、乾燥剤が除湿能力を喪失したものと判断し、除湿処理の実施を終了して加熱再生処理の実施を開始する。このため、不必要な加熱再生処理の実施を省略して、加熱再生処理の頻度が増えるのを防止することができるので、無駄な電力消費を抑え、庫内環境を安定的に維持することが可能な防湿庫の制御技術を提供することができる。
【図面の簡単な説明】
【００１１】
【図１】図１は、本発明の一実施の形態に係る防湿庫１の概略構成図である。
【図２】図２は、図１に示す除湿ユニット４の概略断面図である。
【図３】図３は、防湿庫１の低湿度制御モードにおける動作を説明するためのフロー図である。
【図４】図４は、防湿庫１の中湿度制御モードにおける動作を説明するためのフロー図である。
【図５】図５（Ａ）は、防湿庫１の湿度制御結果の一例を説明するための図であり、図５（Ｂ）は、従来の防湿庫の湿度制御結果の一例を説明するための図である。
【発明を実施するための形態】
【００１２】
以下に、本発明の実施の形態について、図面を参照して説明する。
【００１３】
図１は、本実施の形態に係る防湿庫１の概略構成図である。
【００１４】
本実施の形態に係る防湿庫１は、カメラ、電子部品等の精密機器、食品、化学薬品等の、高度な湿度管理が要求される保管品を保管するための保管庫であり、庫内１０を自動的に除湿し、保管品を一定の湿度状態で保管する。
【００１５】
図示するように、防湿庫１は、筺体１５と、防湿庫１の筺体１５の前面（庫内１０にアクセスするための扉１１が設けられている側の面）等に配置された操作パネル２と、庫内１０に配置された湿度センサ３と、除湿ユニット４と、制御盤５と、を備えている。
【００１６】
操作パネル２は、各種指示、設定情報等を操作者から受け付けるためのボタン、キー等の入力装置と、各種設定情報、動作状態、環境情報等を操作者に知らせるための液晶パネル、ＬＥＤ等の表示装置と、を備えている。
【００１７】
湿度センサ３は、庫内１０の湿度（庫内湿度と呼ぶ）を検知し、その検知結果を制御盤５に出力する。
【００１８】
除湿ユニット４は、制御盤５の制御信号に応じて庫内１０を除湿する。
【００１９】
図２は、除湿ユニット４の概略断面図である。
【００２０】
図示するように、除湿ユニット４は、例えば防湿庫１の筺体１５の背面板１２に形成された開口１３を庫内１０側から塞ぐように庫内１０に配置される。この除湿ユニット４は、ハウジング４０と、ハウジング４０に収容されたシリカゲル、ゼオライト等の再生可能な乾燥剤４１と、乾燥剤４１を加熱するためのヒータ４２と、ハウジング４０内の空気および庫内１０の空気を強制的に循環させるためのファン４３と、を備えている。
【００２１】
ハウジング４０には、庫内１０の空気Ｂ１をハウジング４０内に取り込むための庫内吸気口４４１、４４２と、ハウジング４０内の空気Ｂ２を庫内１０へ排出する庫内排気口４４３、４４４と、庫外１４の空気Ａ１をハウジング４０内に取り込むための庫外吸気口４４５、４４６と、ハウジング４０内の空気Ａ２を庫外１４へ排出するための庫外排気口４４７、４４８と、が形成されている。
【００２２】
また、除湿ユニット４は、庫内吸気口４４１、庫内排気口４４３を開閉する庫内シャッタ４５１、４５３と、庫外吸気口４４５、庫外排気口４４７を開閉する庫外シャッタ４５５、４５７と、をさらに備えている。
【００２３】
なお、庫内シャッタ４５１、４５３および庫外シャッタ４５５、４５７の開閉は、例えば、制御盤５が、これらのシャッタ４５１、４５３、４５５、４５７が取り付けられた形状記憶合金４６への通電を制御し、形状記憶合金４６の温度を変化させて形状記憶合金３６を伸縮させることにより行うようにしてもよい。
【００２４】
図１に戻って説明を続ける。
【００２５】
制御盤５は、操作パネル２を介して操作者から受け付けた指示に従い、湿度センサ３により検知された庫内湿度に基づき除湿ユニット４を制御して、庫内１０を所望の湿度状態にする。図示するように、制御盤５は、湿度センサＩＦ部５１と、操作パネルＩＦ部５２と、シャッタ駆動部５３と、ファン駆動部５４と、ヒータ駆動部５５と、主制御部５０と、を備えている。
【００２６】
湿度センサＩＦ部５１は、湿度センサ３と接続するためのインターフェースである。
【００２７】
操作パネルＩＦ部５２は、操作パネル２と接続するためのインターフェースである。
【００２８】
シャッタ駆動部５３は、庫内シャッタ４５１、４５３および庫外シャッタ４５５、４５７の開閉動作を制御する。
【００２９】
ファン駆動部５４は、ファン４３の動作を制御する。
【００３０】
ヒータ駆動部５５は、ヒータ４２の動作を制御する。
【００３１】
主制御部５０は、これらの各部５１〜５５を統括的に制御して、庫内１０を所望の湿度状態に保つ。
【００３２】
つぎに、防湿庫１の動作を説明する。本実施の形態では、防湿庫１は、低湿度制御モードおよび中湿度制御モードの２つの動作モードを有しており、これらの動作モードのうち、操作パネル２を介して操作者から指定された動作モードに従い動作する。
【００３３】
図３は、防湿庫１の低湿度制御モードにおける動作を説明するためのフロー図である。このフローは、例えば、主制御部５０が、操作パネルＩＦ部５２を介して、低湿度制御モードの指定を伴う開始指示を操作パネル２から受け付けることにより実施される。
【００３４】
主制御部５０は、乾燥剤４１がその除湿能力を最大限発揮するように、以下の加熱再生処理Ｓ１０を実施する（Ｓ１０１〜Ｓ１０４）。
【００３５】
すなわち、主制御部５０は、シャッタ駆動部５３を制御して、庫内シャッタ４５１、４５３を閉じるとともに、庫外シャッタ４５５、４５７を開く。これにより、除湿ユニット４のハウジング４０を、庫内１０から遮断し、庫外１４に開放した状態で、さらにヒータ駆動部５５を制御して、ヒータ４２を動作させる（Ｓ１０１）。これにより、乾燥剤４１が加熱され、乾燥剤４１に含まれている水分が蒸発する。そして、ハウジング４０内と庫外１４との空気循環Ａ１、Ａ２により（図２参照）、乾燥剤４１から蒸発した水蒸気を含む高湿度の空気がハウジング４０から庫外１４に排出され、乾いた空気が庫外１４からハウジング４０に取り込まれる。これにより、乾燥剤４１の乾燥が進行する。
【００３６】
つぎに、主制御部５０は、加熱再生処理Ｓ１０を開始してから所定の加熱時間（例えば２５〜３０分）を経過したか否かを判断する（Ｓ１０２）。所定の加熱時間を経過したならば（Ｓ１０２でＹＥＳ）、乾燥剤４１がその除湿能力を最大限発揮できる程度に乾燥したと考えられるため、主制御部５０は、ヒータ駆動部５５を制御してヒータ４２を停止させる（Ｓ１０３）。それから、所定の冷却時間（例えば８〜１０分）を経過するのを待って（Ｓ１０４）、加熱再生処理Ｓ１０を終了する。
【００３７】
加熱再生処理Ｓ１０が終了したならば（Ｓ１０４でＹＥＳ）、主制御部５０は、以下の除湿処理Ｓ１１を実施する（Ｓ１１１〜Ｓ１１４）。
【００３８】
すなわち、主制御部５０は、シャッタ駆動部５３を制御して、庫内シャッタ４５１、４５３を開くとともに庫外シャッタ４５５、４５７を閉じる。また、ファン駆動部５４を制御して、ファン４３を動作させる（Ｓ１１１）。
【００３９】
これにより、ハウジング４０内と庫内１０との強制的な空気循環Ｂ１、Ｂ２が発生する（図２参照）。そして、空気が、庫内１０からハウジング４０に取り込まれ、含有する水分を乾燥剤４１によって取り除かれた後、庫内１０に排出されることにより、庫内１０の庫内空気湿度が除湿される。
【００４０】
つぎに、主制御部５０は、除湿処理Ｓ１１を開始してから所定の加熱再生周期（例えば６時間）が経過したか否かを判断する（Ｓ１１２）。所定の加熱再生周期が経過したならば（Ｓ１１２でＹＥＳ）、乾燥剤４１の除湿能力が劣化している可能性があるため、主制御部５０は、湿度センサＩＦ部５１を介して湿度センサ３から庫内湿度を取得し、この庫内湿度が所定の第１閾値以上であるか否かを判断する（Ｓ１１３）。ここで、第１閾値は、例えば、開始指示の受付の際、あるいは開始指示に先立って、操作パネル２を介して操作者から受け付けた庫内湿度の目標値よりｎ（ただし、ｎ＝２〜４）％ＲＨ低い値（第１閾値＝目標値−ｎ％ＲＨ、ただし、目標値−ｎ％ＲＨ＜０ならば、第１閾値＝０％ＲＨ）等に設定される。
【００４１】
庫内湿度が第１閾値以上である場合（Ｓ１１３でＹＥＳ）、乾燥剤４１の除湿能力の劣化が激しく、すぐに乾燥剤４１が除湿能力を喪失すると考えられる。そこで、主制御部５０は、除湿処理Ｓ１１を終了して加熱再生処理Ｓ１０（Ｓ１０１）に戻る。
【００４２】
一方、所定の加熱再生周期が経過し、つぎの加熱再生処理の実施タイミングが到来しても庫内湿度が第１閾値未満である場合（Ｓ１１３でＮＯ）、乾燥剤４１の除湿能力の劣化が緩やかであり、当面の間、乾燥剤４１が除湿能力を維持すると考えられる。そこで、主制御部５０は、湿度センサ３によって検知される庫内湿度が第１閾値より高い第２閾値に上昇するまで除湿処理Ｓ１１を続行する（Ｓ１１４）。ここで、第２閾値は、例えば、庫内湿度の目標値よりｍ（ただし、ｍ＝２〜４）％ＲＨ高い値（第２閾値＝目標値＋ｍ％ＲＨ）等に設定される。
【００４３】
そして、庫内湿度が第２閾値にまで上昇した場合（Ｓ１１４でＹＥＳ）、乾燥剤４１が除湿能力を喪失したものと考えられるため、主制御部５０は、除湿処理Ｓ１１を終了して、加熱再生処理Ｓ１０（Ｓ１０１）に戻る。
【００４４】
図４は、防湿庫１の中湿度制御モードにおける動作を説明するためのフロー図である。このフローは、例えば、主制御部５０が、操作パネルＩＦ部５２を介して、中湿度制御モードの指定を伴う開始指示を操作パネル２から受け付けることにより実施される。
【００４５】
主制御部５０は、乾燥剤４１がその除湿能力を最大限発揮するように、加熱再生処理Ｓ１０を実施する（Ｓ２０１）。この加熱再生処理Ｓ１０は、図３に示した加熱再生処理（Ｓ１０１〜Ｓ１０４）と同様である。その後、主制御部５０は、加熱再生処理Ｓ１０を終了させ、以下の除湿処理Ｓ２１を実施する（Ｓ２１１、Ｓ２１２）。
【００４６】
すなわち、主制御部５０は、シャッタ駆動部５３を制御して、庫内シャッタ４５１、４５３を開くとともに、庫外シャッタ４５５、４５７を閉じる。また、ファン駆動部５４を制御して、ファン４３を動作させる（Ｓ２１１）。これにより、庫内１０が除湿される。
【００４７】
つぎに、主制御部５０は、除湿処理Ｓ２１を開始してから所定の加熱再生周期（例えば６時間）が経過したか否かを判断する（Ｓ２１２）。所定の加熱再生周期が経過していた場合（Ｓ２１２でＹＥＳ）、庫内１０が除湿され過ぎている可能性があるため、主制御部５０は、除湿処理Ｓ２１を終了して、庫内１０の除湿も乾燥剤４１の加熱再生も行わない以下の待機処理Ｓ２２を実施する（Ｓ２２１、Ｓ２２２）。
【００４８】
すなわち、主制御部５０は、ファン駆動部５４を制御してファン４３を停止するとともに、シャッタ駆動部５３を制御して庫内シャッタ４５１、４５３を閉じる（Ｓ２２１）。このとき、庫外シャッタ４５５、４５７は閉じたままなので、ハウジング４０内は密閉状態になる。主制御部５０は、湿度センサ３によって検知される庫内湿度を監視し、庫内湿度が上述の第１閾値より高くかつ第２閾値より低い第３閾値（例えば庫内湿度の目標値）以上であるか否かを判断する（Ｓ２２２）。庫内湿度が第３閾値以上に上昇した場合（Ｓ２２２でＹＥＳ）、庫内１０の除湿が不十分と考えられるため、主制御部５０は、待機処理Ｓ２２を終了する。一方、庫内湿度が第３閾値未満ならば（Ｓ２２２でＮＯ）、主制御部５０は、庫内湿度が第３閾値以上に上昇するまで待機処理Ｓ２２を続行し、それから、待機処理Ｓ２２を終了する。
【００４９】
主制御部５０は、待機処理Ｓ２２を終了すると、以下の除湿処理Ｓ２３を実施する（Ｓ２３１〜Ｓ２３３）。
【００５０】
すなわち、主制御部５０は、ファン駆動部５４を制御してファン４３を動作させるとともに、シャッタ駆動部５３を制御して庫内シャッタ４５１、４５３を開く（Ｓ２３１）。これにより、庫内１０が除湿される。また、主制御部５０は、湿度センサＩＦ部５１を介して湿度センサ３から庫内湿度を取得し、この庫内湿度が上述の第１閾値以上であるか否かを判断する（Ｓ２３２）。
【００５１】
庫内湿度が第１閾値未満である場合（Ｓ２３２でＮＯ）、庫内１０が除湿され過ぎていると考えられる。このため、主制御部５０は、除湿処理Ｓ２３を終了して、待機処理Ｓ２２（Ｓ２２１）に戻る。一方、庫内湿度が第１閾値以上である場合（Ｓ２３２でＹＥＳ）、除湿処理Ｓ２３を開始してから所定時間（例えば１時間）以内ならば（Ｓ２３３でＮＯ）、除湿処理Ｓ２３が開始されたばかりであり、庫内１０の除湿が十分に進んでいないと考えられる。このような場合、主制御部５０は、Ｓ２３２に戻り、庫内湿度が第１閾値未満となるまで、または、除湿処理Ｓ２３の開始から所定時間を経過するまで、除湿処理Ｓ２３を続行する。また、除湿処理Ｓ２３を開始してから所定時間を経過している場合（Ｓ２３３でＹＥＳ）、乾燥剤４１の除湿能力の劣化が進み、庫内１０が十分に除湿されていないと考えられる。そこで、主制御部５０は、除湿処理Ｓ２３を終了して、加熱再生処理Ｓ１０（Ｓ２０１）に戻る。
【００５２】
以上、本発明の実施の形態を説明した。
【００５３】
本実施の形態に係る防湿庫１では、低湿度制御モードにおいて、除湿処理Ｓ１１の実施中に、加熱再生周期の経過により、つぎの加熱再生処理Ｓ１０の実施タイミングが到来しても、庫内湿度が第１閾値より低ければ、乾燥剤４１が未だ除湿能力を維持していると考えられるため、加熱再生処理Ｓ１０を実施することなく除湿処理Ｓ１１を続行する。そして、庫内湿度が第１閾値より高い第２閾値になった場合、乾燥剤４１が除湿能力を喪失したと考えられるので、除湿処理Ｓ１１を終了して加熱再生処理Ｓ１０を開始する。このため、乾燥剤４１が除湿能力を維持している段階における不必要な加熱再生処理Ｓ１０の実施が省略され、加熱再生処理Ｓ１０の実施頻度が増えるのを防止することができる。これにより、無駄な電力消費を抑え、庫内１０の環境を安定的に維持することが可能となる。
【００５４】
図５（Ｂ）は、加熱再生処理を加熱再生周期毎に繰り返す従来の防湿庫の湿度制御結果の一例を説明するための図である。庫外温度２５℃、庫外湿度６０％ＲＨにおいて、防湿庫の扉を所定時間開けたままとし、その後、扉を閉めて防湿庫を動作させた場合における庫内湿度の変遷をグラフ化している。
【００５５】
加熱再生処理中は庫内の除湿が行われないため、庫内湿度が上昇する（符号６１）。従来の防湿庫では、加熱再生周期ｔ毎に加熱再生処理が実施されるため、図５（Ｂ）に示すように、加熱再生周期ｔ毎に庫内湿度が上昇してしまい、庫内環境を安定的に維持することが難しい。また、加熱再生処理ではヒータを使うため、加熱再生処理回数が増加すると、消費電力が増加する。
【００５６】
一方、図５（Ａ）は、本実施の形態に係る防湿庫１の低湿度制御モードにおける湿度制御結果の一例を説明するための図である。図５（Ｂ）に示す従来の防湿庫の湿度制御結果例と同様に、庫外温度２５℃、庫外湿度６０％ＲＨにおいて、防湿庫１の扉１１を所定時間開けたままとし、その後、扉１１を閉めて防湿庫１を動作させた場合における庫内湿度の変遷をグラフ化している。なお、加熱再生処理における加熱時間、冷却時間、および加熱再生周期ｔは図５（Ｂ）と同じにしている。
【００５７】
加熱再生処理が行われている間は庫内１０の除湿が行われないため、庫内湿度が上昇する（符号６０）。本実施の形態に係る防湿庫１では、加熱再生周期ｔの到来によりつぎの加熱再生処理の実施タイミングが到来した場合でも、そのときの庫内湿度が第１閾値より低いならば、加熱再生処理の実施を開始することなく、除湿処理の実施を続行する。そして、庫内湿度が第１閾値より高い第２閾値になった場合に、除湿処理の実施を終了して加熱再生処理の実施を開始する。このため、図５（Ａ）に示すように、図５（Ｂ）に示す従来の防湿庫に比べ、加熱再生処理の頻度が少なくなる。これにより、無駄な電力消費が抑えられ、庫内１０の環境が安定的に維持される。
【００５８】
また、本実施の形態に係る防湿庫１では、中湿度制御モードにおいて、除湿処理Ｓ２１の実施中に、加熱再生周期の経過によりつぎの加熱再生処理Ｓ１０の実施タイミングが到来したにも関わらず、加熱再生処理Ｓ１０を実施せずに、除湿処理Ｓ２３を実施（続行）した場合、庫内湿度が第１閾値より高くかつ第２閾値より低い第３閾値未満ならば、庫内１０が除湿され過ぎていると考えられるため、庫内湿度が第３閾値以上となるまで、除湿処理Ｓ２３を中断して、待機処理Ｓ２２を実施する。このため、ファン４３等の運転も停止されるので、無駄な電力消費をさらに抑制することができる。
【００５９】
なお、本発明は上記の実施の形態に限定されるものではなく、その要旨の範囲内で数々の変形が可能である。
【００６０】
例えば、上記の実施の形態では、除湿処理Ｓ１１、Ｓ２１、Ｓ２３の場合にのみファン４３を動作させているが、本発明はこれに限定されない。加熱再生処理Ｓ１０中にもファン４３を動作させてもよい。例えば、加熱再生処理Ｓ１０において、冷却中（図３のＳ１０４）に、ファン４３を動作させることにより、乾燥剤４１の冷却をより短時間で行うことが可能となる。これにより、加熱再生処理に要する時間をより短くすることができるので、加熱再生処理の実施中における庫内湿度の上昇をさらに抑制することができる。
【００６１】
また、上記の実施の形態では、除湿ユニット４を庫内１０に一つ配置した場合を例に取り説明したが、本発明はこれに限定されない。庫内１０のサイズ等に応じて、必要な数の除湿ユニット４を庫内１０に配置すればよい。
【００６２】
また、上記の実施の形態では、防湿庫１は、操作者の指示に応じて低湿度制御モードおよび中湿度制御モードのいずれかの動作モードで動作するが、湿度範囲をさらに細分化し、防湿庫１が、三区分以上の湿度範囲に対応する動作モードで動作するようにしてもよい。
【００６３】
また、上記の実施の形態において、図１に示す制御盤５の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、およびＨＤＤ等の補助記憶装置を備えた汎用コンピュータにおいて、ＣＰＵが所定のプログラムを補助記憶装置からメモリ上にロードして実行することで実現されるものでもよい。
【符号の説明】
【００６４】
１：防湿庫、２：操作パネル、３：湿度センサ、４：除湿ユニット、５：制御盤、１０：庫内、１１：扉、１２：背面板、１３：開口、１４：庫外、１５：筺体、４０：ハウジング、４１：乾燥剤、４２：ヒータ、４３：ファン、４６：形状記憶合金、５０：主制御部、５１：湿度センサＩＦ部、５２：操作パネルＩＦ部、５３：シャッタ駆動部、５４：ファン駆動部、５５：ヒータ駆動部、４４１、４４２：庫内吸気口、４４３、４４４：庫内排気口、４４５、４４６：庫外吸気口、４４７、４４８：庫外排気口、４５１、４５３：庫内シャッタ、４５５、４５７：庫外シャッタ
【図１】
0005449309.tif 000002
【図２】
0005449309.tif 000003
【図３】
0005449309.tif 000004
【図４】
0005449309.tif 000005
【図５】
0005449309.tif 000006